(57)【特許請求の範囲】
【請求項１】
複数の光源と、
外辺に囲まれる平坦形状を有し、前記複数の光源を保持する基材と、を備え、
前記複数の光源の各々は前記基材の一方の面側に行列状又は同心円状に配置されており、
前記複数の光源には、前記基材の一方の面の中心領域に配置され、前記基材の一方の面の法線方向に光を出射する基準光源が含まれ、
前記複数の光源の各々から出射される光の主出射方向と、前記基準光源の光の主出射方向とのなす角度は、当該光源の配置される位置が前記基準光源から前記外辺に向かうほど大きくなるように設定される、
照明装置。
【請求項２】
前記基準光源の光の主出射方向と、前記複数の光源の光の主出射方向とのなす角度は、前記光源の配置される位置が前記基材の前記外辺に向かうほど順次大きくなる、
請求項１に記載の照明装置。
【請求項３】
前記基準光源を有する光源パターン領域が前記基材の一方の面側に複数配置されている、
請求項１又は２に記載の照明装置。
【請求項４】
前記複数の光源の各々は、当該光源の光の主出射方向と前記基準光源の光の主出射方向とのなす角度が、前記基材の一方の面側に配置された前記基準光源を通り、前記基材の一方の面を２つの領域に分ける基準線に対して少なくとも線対称をなす角度となるように前記基材の一方の面側に配置されている、
請求項１又は２に記載の照明装置。
【請求項５】
前記複数の光源の各々は、当該光源の光の主出射方向と前記基準光源の光の主出射方向とのなす角度が、前記基準光源を中心として点対称をなす角度となるように前記基材の一方の面側に配置されている、
請求項１又は２に記載の照明装置。
【請求項６】
前記複数の光源が同心円状に配置されるとき、
前記基材の一方の面において、円状に配列された一群の前記光源に対して、外側に且つ隣り合う位置に円状に配列された他の一群の前記光源の各々は、内側の前記一群の前記光源の各々の間に対応する位置に配置されている、
請求項１乃至５のいずれか一項に記載の照明装置。
【請求項７】
前記複数の光源の各々の少なくとも一部は、前記基材の一方の面に、底面が前記基材の一方の面の平坦面に対して傾斜角度を有して形成された凹部によって保持されており、
前記複数の光源を保持する凹部は、前記基材の一方の面に行列状又は同心円状に配置されるとともに、前記底面の傾斜角度が前記基材の一方の面における前記基準光源が配置される位置から外辺に向かうほど大きくなる角度に設定される、
請求項１乃至６のいずれか一項に記載の照明装置。
【請求項８】
前記基材の一方の面には、前記複数の光源の各々を保持する保持面を備える保持部材が配置されており、
前記基材の一方の面に対する前記保持部材の各々の前記保持面の傾斜角度は、前記基材の一方の面における前記基準光源が配置される位置から外辺に向かうほど大きくなる角度に設定され、
前記複数の光源の各々は、前記保持部材の各々の前記保持面に当接して配置されていると共に、当該光源の各々から出射される光の主出射方向と、前記保持部材の各々の前記保持面に対する各法線方向とは略平行である、
請求項１乃至６のいずれか一項に記載の照明装置。
【発明の詳細な説明】
【技術分野】
【０００１】
本発明は、電気光学装置等に用いて好適な照明装置の構造に関する。
【背景技術】
【０００２】
現在、携帯電話機、携帯情報端末機、コンピュータディスプレイなどの電子機器において、映像を表示するために電気光学装置の一例としての液晶装置が広く用いられている。
【０００３】
このような液晶装置では、液晶表示パネルを背面側から照明して透過表示を行うために、その液晶表示パネルの背面側にバックライト装置（照明装置）が設けられる。かかる照明装置は、液晶表示パネル等に対する光源の配置位置によって、直下型とエッジライト型の２つの方式に大別される。
【０００４】
直下型の照明装置は、液晶表示パネルの背面側に光源を配置する方式の照明装置である。一方、エッジライト型の照明装置は、液晶表示パネルの背面側に光を導く導光板を配し、その導光板の側面部に光源を配置する方式の照明装置である。このうち、直下型の照明装置は、エッジライト型の照明装置と比較して、導光板を必要としないため、その分、コストを下げることができるといった利点がある。
【０００５】
例えば、特許文献１及び２には、直下型のバックライト装置が記載されている。
【０００６】
特許文献１に記載のバックライト装置は、入射した色光を拡散して面状発光させる拡散板と、拡散板に入射する少なくとも赤色光、緑色光、青色光をそれぞれ発光する複数の発光ダイオードと、それらの発光ダイオードから発光された各色光を拡散板上の同一箇所に集光して白色光とする集光手段とを有する光源ユニットを備えている。そして、光源ユニットは、集光手段として、複数の発光ダイオードから発光された各色光を夫々集光する複数の集光レンズを有し、複数の集光レンズを介した各色光が拡散板上の同一箇所に集光されるように、複数の発光ダイオード及び複数の集光レンズの光軸が所定の角度で傾けて配置されている。
【０００７】
かかる構成により、色ムラがなく十分に混色された白色光となり、その白色光で液晶表示パネルを照明することで、液晶表示パネルに色再現性の良い画像を表示することができるとされている。
【０００８】
特許文献２に記載のバックライト装置は、光源としての複数の発光ダイオードと、各発光ダイオードを機械的に駆動することにより、各発光ダイオードから出射した光の空間的な光量分布を変化させる光量分布調整手段とを備えている。そして、光量分布調整手段は、各発光ダイオードが取り付けられた台座と、台座を回動させる回転軸とから構成されている。なお、発光ダイオードには、赤色光を発光する赤色発光ダイオード、緑色光を発光する緑色発光ダイオード、及び青色光を発光する青色発光ダイオードが含まれる。
【０００９】
この構成によれば、光量分布調整手段の駆動、具体的には、台座をその延在方向に延びる回転軸の周囲に回動させることによって赤色発光ダイオード、緑色発光ダイオード、及び青色発光ダイオードの傾斜角度を時間変化させることが可能とされる。これにより、その各発光色の混色状態を調整することが可能となり、色ムラの発生を抑制することができるとされている。
【００１０】
【特許文献１】特開２００６−２２８５７６号公報
【特許文献２】特開２００６−３３９０４７号公報
【発明の開示】
【発明が解決しようとする課題】
【００１１】
ところで、上記した特許文献１に記載のバックライト装置では、拡散板上の同一箇所に集光されるように、複数の発光ダイオード及び複数の集光レンズの光軸が所定の角度で傾けて配置されている。
【００１２】
このため、この拡散板において、複数の発光ダイオードから出射された光が集光される領域では輝度が高くなるものの、複数の発光ダイオードから出射された光が集光されない領域では輝度が低くなる。特に、この拡散板の外周部は、複数の発光ダイオードから出射された光が集光されない領域となっており、その輝度は拡散板の内側の領域の輝度と比べて低くなっているものと考えられる。
【００１３】
このように、拡散板において、輝度が高い領域と輝度が低い領域とが存在すると、これに起因して拡散板に輝度ムラが発生することになる。そうすると、このバックライト装置では、拡散板を通じて均一な輝度の光を液晶表示パネルに向けて照射することができない虞がある。
【００１４】
また、上記した特許文献２に記載のバックライト装置では、台座をその延在方向に延びる回転軸の周囲に回動させることによって各発光ダイオードの傾斜角度を時間変化させて、色ムラの発生を抑制するようにしている。しかしながら、この構成によると、台座の延長線上に位置する拡散板の領域では、各発光ダイオードからの光が入射され難く、十分な輝度が得られない可能性がある。これにより、このバックライト装置では、上記した特許文献１に記載のバックライト装置と同様に、拡散板を通じて均一な輝度の光を液晶表示パネルに向けて照射することができない虞がある。
【００１５】
本発明は、以上の点に鑑みてなされたものであり、電気光学パネルに向けて均一な輝度の光を照射することが可能な直下型の照明装置を提供することを課題とする。
【課題を解決するための手段】
【００１６】
本発明の１つの観点では、照明装置は、複数の光源と、外辺に囲まれる平坦形状を有し、複数の光源を保持する基材と、を備え、複数の光源の各々は基材の一方の面側に行列状又は同心円状に配置されており、複数の光源には、基材の一方の面の中心領域に配置され、基材の一方の面の法線方向に光を出射する基準光源が含まれ、複数の光源の各々から出射される光の主出射方向と、基準光源の光の主出射方向とのなす角度は、当該光源の配置される位置が基準光源から外辺に向かうほど大きくなるように設定される。
【００１７】
上記の照明装置は、複数の光源と、複数の光源を保持する基材と、を備える。光源としては、例えば白色光を発光するＬＥＤなどが好適である。基材としては、例えば配線基板が好適である。複数の光源の各々は基材の一方の面側に配置（例えば分散して配置）されている。複数の光源には基材の一方の面の法線方向に光を出射する基準光源が含まれる。そして、複数の光源の各々から出射される光の主出射方向と、基準光源の光の主出射方向とのなす角度は、当該光源の配置される位置が基準光源から外辺（外周辺、外周部、又は外側）に向かうほど大きい。ここで、光の主出射方向は、光線の進行の主方向である。また、光の主出射方向の軸は光の主進行方向の仮想軸である。好適な例では、電気光学装置は、一対の基板間に電気光学層を挟持してなる電気光学パネルと、電気光学パネルの一方の面側に配置された上記の照明装置と、を備える。
【００１８】
これにより、基準光源から外辺に向かうに従い、光源の各々からより多くの光が照射されることになる。その結果、電気光学パネルの外辺（表示領域と表示に寄与しない非表示領域との境界付近の領域を含む）の輝度を高くすることができると共に、電気光学パネルの表示領域の中央部とその表示領域の外辺との間における輝度ムラを抑制でき、電気光学パネルの表示領域における輝度の均一化を図ることができる。
【００２０】
さらに、基材の一方の面の中心から外辺に向かう少なくとも一つの方向に向かうに従い、光源の各々からより多くの光が照射されることになる。その結果、電気光学パネルの外周部（表示領域と表示に寄与しない非表示領域との境界付近の領域であって、且つ少なくとも一つの方向に位置する基材の外辺に対応する領域）の輝度を高くすることができると共に、電気光学パネルの表示領域の中央部とその表示領域の外周部との間における輝度ムラを抑制でき、電気光学パネルの表示領域における輝度の均一化を図ることができる。
【００２１】
また、基準光源は基材の一方の面の中心領域に配置されるので、基材の中央領域からその外辺に向かうに従い、光源の各々からより多くの光が照射されることになる。
【００２２】
上記の照明装置の他の態様では、基準光源の光の主出射方向と、複数の光源の光の主出射方向とのなす角度は、光源の配置される位置が基材の外辺に向かうほど順次大きくなる。この態様によれば、基準光源から外辺に向かうに従い、順次光源の各々からより多くの光が照射されることになる。
【００２３】
上記の照明装置の他の態様では、基準光源を有する光源パターン領域が基材の一方の面側に複数配置されている。好適な例では、光源パターン領域は、基準光源を含む複数の光源と、複数の光源を保持する基材と、を備えて構成される光源ユニットであることが好ましい。この態様によれば、パソコンなどの大画面用の照明装置として好適に用いることができる。
【００２５】
上記の照明装置の他の態様では、基材の一方の面には、行列状又は同心円状に配置された複数の凹部を有し、基材の一方の面に対する凹部内の各々の底面の傾斜角度は、基材の一方の面における基準光源が配置される位置から外辺に向かうほど大きくなる角度に設定され、複数の光源の各々の少なくとも一部は、凹部内の各々に配置されている。
【００２６】
これにより、基準光源の光の主出射方向と、複数の光源の光の主出射方向とのなす角度が基材の一方の面における基準光源が配置される位置から外辺に向かうほど大きくなる角度となるように、光源の各々を基材の一方の面の凹部内に保持した状態で基材の一方の面に配置することが容易となる。
【００２７】
好適な例では、傾斜角度が基材の一方の面の中心から外辺に向かう少なくとも一つの方向に向かうほど大きくなる角度に設定されていることが好ましい。
【００２８】
これにより、基準光源の光の主出射方向と、複数の光源の光の主出射方向とのなす角度が基材の一方の面の中心から外辺に向かう少なくとも一つの方向に向かうほど大きくなる角度となるように、光源の各々を基材の一方の面の凹部内に保持した状態で基材の一方の面に配置することが容易となる。
【００３４】
上記の照明装置の他の態様では、複数の光源の各々は、当該光源の光の主出射方向の角度が基材の一方の面側に配置された基準光源を通る基準線に対して少なくとも線対称をなす角度となるように基材の一方の面に配置されている。
【００３５】
上記の照明装置の他の態様では、光源の各々は、角度が基材の一方の面の中心を通る中心線に対して線対称をなす角度となるように基材の一方の面側に配置されている。
【００３６】
上記の照明装置の他の態様では、複数の光源の各々は、当該光源の光の主出射方向の角度が基準光源の光の主出射方向に対して点対称をなす角度となるように基材の一方の面側に配置されている。
【００３７】
上記の照明装置の他の態様では、光源の各々は、角度が基材の法線に対して点対称をなす角度となるように基材の一方の面に配置されている。
【００３８】
上記の照明装置の他の態様では、複数の光源が同心円状に配置されるとき、基材の一方の面において、円状に配列された一群の光源に対して外側に且つ隣り合う位置に円状に配列された他の一群の光源の各々は、内側の一群の光源の各々の間に対応する位置に配置されている。
【００３９】
この態様によれば、電気光学パネルの外周部の輝度をより高くすることができると共に、電気光学パネルの表示領域の中央部とその表示領域の外周部及び各隅との間における輝度ムラをより抑制でき、電気光学パネルの表示領域における輝度の均一化をより図ることができる。
【００４０】
上記の照明装置の他の態様では、基材の一方の面には、複数の光源の各々を保持する保持面を備える保持部材が配置（例えば分散して配置）されており、基材の一方の面に対する保持部材の各々の保持面の傾斜角度は、基材の一方の面における基準光源が配置される位置から外辺に向かうほど大きくなる角度に設定され、複数の光源の各々は、保持部材の各々の保持面に当接して配置されていると共に、光源の各々から出射される光の主出射方向と、保持部材の各々の保持面に対する各法線方向とは略平行である。
【００４１】
この態様によれば、光源の各々から出射される光の主出射方向と、基準光源の光の主出射方向とのなす角度を、基準光源が配置されるべき位置から外辺に向かうほど大きく設定するためには、基材の一方の面に対して所定の傾斜角度を有する保持部材の各々の保持面に対して、光源の各々を配置するだけでよい。よって、基材の一方の面に対する光源の配置が容易となる。
【００４２】
上記の照明装置の他の態様では、基材の一方の面には、複数の光源の各々を保持する保持面を備える保持部材が配置（例えば分散して配置）されており、基材の一方の面に対する保持部材の各々の保持面の傾斜角度は、角度が基材の一方の面の中心から外辺に向かう少なくとも一つの方向に向かうほど大きくなる角度に設定され、複数の光源の各々は、保持部材の各々の保持面に当接して配置されていると共に、光源の各々から出射される光の領域の中心を通る中心軸と、保持部材の各々の保持面に対する各法線方向とは略平行である。
【００４３】
この態様によれば、光源の各々から出射される光の領域の中心を通る中心軸と、基材の一方の面の中心における法線と平行な平行線とのなす角度を、基材の一方の面の中心から外辺に向かう少なくとも一つの方向に向かうほど大きく設定するためには、基材の一方の面に対して所定の傾斜角度を有する保持部材の各々の保持面に対して、光源の各々を配置するだけでよい。よって、基材の一方の面に対する光源の配置が容易となる。
【発明を実施するための最良の形態】
【００４７】
以下、図面を参照して本発明を実施するための最良の形態について説明する。
【００４８】
[第１実施形態]
（液晶装置の構成）
まず、図１及び図２（ａ）等を参照して、本発明の第１実施形態に係る、電気光学装置の一例としての液晶装置１００の構成について説明する。
【００４９】
図１は、第１実施形態に係る液晶装置１００の概略構成を示す断面図である。図２（ａ）は、図１の観察側（観察者によって視認される側）から液晶装置１００の構成要素である照明装置５１を見た平面図を示す。図２（ａ）では、矩形状の平面形状を有する基板１２の一つの外辺１２ａを基準としたときに、時計回りに外辺１２ｂ、１２ｃ、１２ｄとする。なお、図１は、図２（ａ）における、外辺１２ａと外辺１２ｃを結ぶ線分を２分する中心線（又は基準線）Ｌ５に沿った断面図に対応していると共に、図２（ａ）では、便宜上、照明装置５１の要素である各種の光学シート及び支持部材１３の図示を省略している。
【００５０】
液晶装置１００は、液晶表示パネル５０と、液晶表示パネル５０の観察側とは逆側に配置され、液晶表示パネル５０を照明する直下型の照明装置５１と、を備える。
【００５１】
液晶表示パネル５０は、第１の基板１と第２の基板２とを枠状のシール材３を介して貼り合わせ、シール材３で区画される領域内に、電気光学層の一例としての液晶層４を狭持して構成される。液晶表示パネル５０の液晶層４側の面上には、例えば、ブラックマトリックス、カラーフィルタ、電極その他の多くの構成要素がマトリクス状（格子状）又はストライプ状（線状）に形成されるが、図１ではそれらの要素の図示を省略している。そして、液晶表示パネル５０におけるシール材３の内側には、画像を表示するための表示領域Ｖ１が形成されていると共に、液晶表示パネル５０の外縁と表示領域Ｖ１との間の領域は、表示に寄与しない非表示領域Ｖ２となっている。なお、本発明では、液晶表示パネル５０は、特定の構成に限定されず、周知の種々の構成を採り得る。
【００５２】
照明装置５１は、各種の光学シートと、複数の光源１１と、基材の一例としての基板１２と、支持部材（フレーム）１３と、を備える。ここで、各種の光学シートには、光を拡散する第１の拡散板１４、光を集光するプリズムシート１５、光を拡散させる第２の拡散板１６が含まれる。但し、本発明では、各種の光学シートの構成は、特定の構成に限定されない。
【００５３】
支持部材１３は、矩形状の平面形状を有し且つ基板１２を支持する平坦部１３ａと、平坦部の外周部から外側に且つ第１の拡散板１４に向けて斜め方向に延在し、各種の光学シートを支持する延在部１３ｂと、を有する。
【００５４】
基板１２は、複数の光源１１を保持すると共に、複数の光源１１に電力を供給する配線基板としての役割を有する。基板１２は、矩形状の平面形状及び平坦形状を有し、支持部材１３の平坦部１３ａに重ねて配置されている。基板１２の一方の面１２ｆには、複数の光源１１を保持するための複数の凹部１２ｆａが分散して形成されている。
【００５５】
複数の光源１１としては、例えば、白色光を発光する発光ダイオード（Light Emitting Diode）が好適である。各光源１１は、基板１２の一方の面１２ｆに設けられた各凹部１２ｆａ内に保持された状態で基板１２の一方の面１２ｆに分散して配置されている。各光源１１から発光された光（例えば白色光）Ｌは、各種の光学シート及び液晶表示パネル５０に向けて照射される。なお、基板１２の一方の面１２ｆに対する各光源１１の配置構造については後述する。
【００５６】
第１の拡散板１４は、支持部材１３の延在部１３ｂの端部により支持されている。このため、第１の拡散板１４と基板１２との間には一定の間隔ｄ１を有する空間Ｅが形成されている。このように、第１の拡散板１４と基板１２との間に一定の間隔ｄ１を設けている理由は、各光源１１から出射された光Ｌを第１の拡散板１４によってプリズムシート１５側へ拡散し易くするためである。プリズムシート１５は、第１の拡散板１４の液晶表示パネル５０側の面に重ねて配置されている。第２の拡散板１６は、プリズムシート１５の液晶表示パネル５０側の面に重ねて配置されている。プリズムシート１５にて集光された光Ｌをより拡散させるため、第２の拡散板１６は、第１の拡散板１４と比較して光の拡散率が高いものであることが好ましい。
【００５７】
以上の構成を有する液晶装置１００では、複数の光源１１から出射された光Ｌは、図１の破線矢印に示すように第１の拡散板１４に向けて進行し、第１の拡散板１４を透過することによって拡散した光Ｌとなる。そして、その拡散した光Ｌは、プリズムシート１５を透過することで集光し、その集光した光Ｌは、第２の拡散板１６に向けて進行する。そして、その集光した光Ｌは、第２の拡散板１６を透過することで拡散し、その拡散した光Ｌは、液晶表示パネル５０に向けて照射される。この際、液晶表示パネル５０において液晶層４の液晶分子の配向が制御されて、所望の表示画像が観察者によって視認される。
【００５８】
（基板に対する光源の配置構造）
次に、図１及び図２を参照して、第１実施形態に係る照明装置５１における、基板１２の一方の面１２ｆに対する各光源１１の配置構造について説明する。
【００５９】
図２（ｂ）は、光源１１から出射される光Ｌの領域（本例では楕円体状の領域）１１Ｌと、その領域１１Ｌの中心を通る中心軸（破線部分）Ｌ３との関係を示す模式図である。なお、図２（ｂ）では、光源１１の中心軸と、その光Ｌの領域１１Ｌの中心軸Ｌ３とは同一直線上に位置している。なお、中心軸Ｌ３は、光源１１の光Ｌの主出射方向（光Ｌの進行の主方向）の軸（光Ｌの主進行方向の仮想軸）である。
【００６０】
第１実施形態では、複数の光源１１には、基板１２の法線Ｌ１の方向に光Ｌを出射する基準光源１１ｂが含まれる。基準光源１１ｂは、例えば基板１２の中心Ｏを通る中心領域に配置される。そして、光源１１は、基板１２の一方の面１２ｆに行列状に配置されている。具体的に、基板１２の一方の面１２ｆには、行列状に配置された複数の凹部１２ｆａが形成されており、各光源１１の少なくとも一部は、各凹部１２ｆａ内に保持されている。また、各光源１１は、基板１２の一方の面１２ｆの中心Ｏを通り、外辺１２ａから外辺１２ｃに向かう中心線（外辺１２ｂと外辺１２ｄを結ぶ線分を２分する中心線又は基準線）Ｌ４、及び、同じく中心Ｏを通り、外辺１２ｂから外辺１２ｄに向かう中心線Ｌ５のそれぞれに対して少なくとも線対称をなすように、基板１２の一方の面１２ｆに配置されている。
【００６１】
特に、本発明では、液晶表示パネル５０の表示領域Ｖ１に対して均一な輝度の光Ｌが照明されるように、且つ液晶表示パネル５０の外周部（表示領域Ｖ１と非表示領域Ｖ２との境界付近の領域）に対して各光源１１からより多くの光Ｌが照射されるように、基板１２の一方の面１２ｆに対して各光源１１の傾斜角度などが調整された状態で配置される。
【００６２】
そのために、本発明では、各光源１１から出射される光Ｌの主出射方向の軸（中心軸Ｌ３であり、以下、「主出射方向Ｌ３」とも呼ぶ）と、基準光源１１ｂの光Ｌの主出射方向（法線Ｌ１であり、以下、「主出射方向Ｌ１」とも呼ぶ。）又は当該主出射方向Ｌ１と平行な平行線Ｌ２とのなす角度は、基準光源１１ｂから外辺１２ａ、１２ｂ、１２ｃ、１２ｄに向かう少なくとも一つの方向に向かうほど大きくなるように設定される。即ち、各光源１１から出射される光Ｌの領域１１Ｌの中心を通る中心軸Ｌ３と、基板１２の一方の面１２ｆの中心Ｏにおける法線Ｌ１又は法線Ｌ１と平行な平行線Ｌ２とのなす角度は、基板１２の一方の面１２ｆの中心Ｏから外辺１２ａ、１２ｂ、１２ｃ、１２ｄに向かう少なくとも一つの方向に向かうほど大きくなるように設定される。
【００６３】
これを実現するため、第１実施形態では、基板１２の一方の面１２ｆに対する、各光源１１を保持する各凹部１２ｆａの底面の傾斜角度は、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度が基板１２の一方の面１２ｆにおける基準光源１１ｂが配置されるべき位置（或いは、各光源１１の光Ｌの領域１１Ｌの中心軸Ｌ３と平行線Ｌ２とのなす角度が中心線Ｌ４）から外辺１２ｂ及び１２ｄのそれぞれに向かうほど大きく設定されるような角度とされる。これにより、当該角度が基板１２の一方の面１２ｆの中心Ｏを通る中心線Ｌ４、Ｌ５のそれぞれに対して線対称をなす角度となるように、各光源１１を基板１２の一方の面１２ｆに配置することが容易となる。
【００６４】
具体的には、第１実施形態では、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度は、基準光源１１ｂを通る中心線Ｌ４から外辺１２ｂ及び１２ｄのそれぞれに向かうほど大きく設定されている。言い換えれば、各光源１１の光Ｌの領域１１Ｌの中心軸Ｌ３と平行線Ｌ２とのなす角度は、基板１２の一方の面１２ｆの中心Ｏを通る中心線Ｌ４を基準として、中心線Ｌ４から外辺１２ｂ及び１２ｄのそれぞれに向かうほど大きく設定されている。
【００６５】
即ち、第１実施形態では、基板１２の一方の面１２ｆの中心線Ｌ４を基準としたときに、中心線Ｌ４より外辺１２ｂ側の領域に配置された光源１１群は、中心線Ｌ４から外辺１２ｂに向かうほど、つまり図２（ａ）の矢印Ｙ１方向に向かうほど大きく設定されていると共に、中心線Ｌ４より外辺１２ｄ側の領域に配置された光源１１群は、中心線Ｌ４から外辺１２ｂに向かうほど、つまり図２（ａ）の矢印Ｙ２方向に向かうほど大きく設定されている。
【００６６】
より具体的には、基板１２の一方の面１２ｆにおいて最も中央部に位置すると共に外辺１２ａから外辺１２ｃの方向にかけて配列された基準光源１１ｂを含む一群の光源１１ｓの各々は、光Ｌの領域１１Ｌの中心軸Ｌ３と平行線Ｌ２とのなす角度が０[°]に設定されている。つまり、一群の光源１１ｓにおいては、各光源１１の光Ｌの領域１１Ｌの中心軸Ｌ３と平行線Ｌ２とが同一直線上に位置している。
【００６７】
また、一群の光源１１ｓを挟む位置に配置されると共に外辺１２ａから外辺１２ｃの方向にかけて配列され、且つ中心線Ｌ４から外辺１２ｂ及び外辺１２ｄのそれぞれに向かって傾斜する一群の光源１１ｔでは、各光源１１の光Ｌの領域１１Ｌの中心軸Ｌ３と平行線Ｌ２とのなす角度がα（＞０[°]）に設定されている。また、一群の光源１１ｔを挟む位置に配置されると共に外辺１２ａから外辺１２ｃの方向にかけて配列され、且つ中心線Ｌ４から外辺１２ｂ及び外辺１２ｄのそれぞれに向かって傾斜する一群の光源１１ｕでは、各光源１１の光Ｌの領域１１Ｌの中心軸Ｌ３と平行線Ｌ２とのなす角度がβ（＞α）に設定されている。また、一群の光源１１ｕを挟む位置に配置されると共に外辺１２ａから外辺１２ｃの方向にかけて配列され、且つ中心線Ｌ４から外辺１２ｂ及び外辺１２ｄのそれぞれに向かって傾斜する一群の光源１１ｖでは、各光源１１の光Ｌの領域１１Ｌの中心軸Ｌ３と平行線Ｌ２とのなす角度がγ（＞β）に設定されている。また、一群の光源１１ｖを挟む位置に配置されると共に外辺１２ａから外辺１２ｃの方向にかけて配列され、且つ中心線Ｌ４から外辺１２ｂ及び外辺１２ｄのそれぞれに向かって傾斜する一群の光源１１ｗでは、各光源１１の光Ｌの領域１１Ｌの中心軸Ｌ３と平行線Ｌ２とのなす角度がθ（＞γ）に設定されている。また、基準光源１１ｂの光Ｌの主出射方向である法線Ｌ１に対する各光源１１の傾き角度は、基板１２の外辺１２ｂ及び１２ｄのそれぞれに向かうほど順次又は段階的に大きくなっている。
【００６８】
こうした構成により、第１実施形態に係る液晶装置１００では、基準光源１１ｂが位置する中心線Ｌ４から外辺１２ｂ及び外辺１２ｄのそれぞれに向かうに従い、順次又は段階的に液晶表示パネル５０側に向けて各光源１１からより多くの光Ｌが照射されることになる。その結果、液晶表示パネル５０の外周部（表示領域Ｖ１と非表示領域Ｖ２との境界付近の領域であって、且つ外辺１２ｂ及び１２ｄに対応する領域）の輝度を高くすることができると共に、液晶表示パネル５０の表示領域Ｖ１の中央部とその表示領域Ｖ１の外周部との間における輝度ムラを抑制でき、液晶表示パネル５０の表示領域Ｖ１における輝度の均一化を図ることができる。
【００６９】
なお、第１実施形態に係る照明装置５１では、基板１２の一方の面１２ｆにおいて、各光源１１と平面的に重ならない位置に、光を反射する反射部材（図１の矩形状の破線領域）７０を配置するようにしてもよい。これによれば、各光源１１から発光された光Ｌのうち第１の拡散板１４等に当たることによって反射された光を反射部材７０によって、第１の拡散板１４等の側へ再度反射させることができる。その結果、各光源１１から発光された光Ｌの利用効率を高めることができ、液晶表示パネル５０の輝度をより高めることができる。
【００７０】
[第２実施形態]
次に、図３を参照して、本発明の第２実施形態に係る液晶装置１００ａの構成について説明する。
【００７１】
図３は、図１に対応する、第２実施形態に係る液晶装置１００ａの構成を示す断面図である。
【００７２】
第２実施形態と第１実施形態とを比較した場合、その両者は、照明装置の構成のみが異なり、それ以外は同様である。よって、以下では、第１実施形態と同一の要素については同一の符号を付し、その説明は適宜省略する。
【００７３】
第１実施形態に係る照明装置５１では、基板１２が平坦形状を有していた。これに対して、第２実施形態に係る照明装置５１ａでは、基板１２が各種の光学シート及び液晶表示パネル５０の側に凸状に湾曲する形状を有している。そして、各光源１１は、基板１２の一方の面１２ｆに第１実施形態と同様の配置構成で配置されており、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度は、基準光源１１ｂの位置を通る中心線Ｌ４から外辺１２ｂ及び１２ｄのそれぞれに向かうほど大きく設定されている。即ち、各光源１１の光Ｌの領域１１Ｌの中心軸Ｌ３と平行線Ｌ２とのなす角度は、基板１２の一方の面１２ｆの中心Ｏを通る中心線Ｌ４から外辺１２ｂ及び１２ｄのそれぞれに向かうほど大きく設定されている。また、基準光源１１ｂの光Ｌの主出射方向である法線Ｌ１に対する各光源１１の傾き角度は、基板１２の外辺１２ｂ及び１２ｄのそれぞれに向かうほど順次又は段階的に大きくなっている。なお、基板１２としては、例えば可撓性を有するフレキシブル基板が好適である。この場合、可撓性を有する基板１２が上記した湾曲形状を維持できるように、基板１２と支持部材１３の平坦部１３ａとの間には、各種の光学シート及び液晶表示パネル５０の側に凸状に湾曲する形状を有する部材（例えば、光又は熱硬化性を有する樹脂部材）１８が配置されていることが好ましい。
【００７４】
第２実施形態では、照明装置５１ａの製造過程において、基板１２の一方の面１２ｆの曲率を適宜調整することにより、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度を、基準光源１１ｂを通る中心線Ｌ４から外辺１２ｂ及び１２ｄのそれぞれに向かうほど大きく設定することが容易となる。言い換えれば、各光源１１の光Ｌの領域１１Ｌの中心軸Ｌ３と平行線Ｌ２とのなす角度を、基板１２の一方の面１２ｆの中心Ｏを通る中心線Ｌ４から外辺１２ｂ及び１２ｄのそれぞれに向かうほど大きく設定することが容易となる。その結果、上記した第１実施形態と同様の作用効果を得ることができる。
【００７５】
なお、第２実施形態に係る照明装置５１ａでは、上記した第１実施形態と同様の目的を達成するため、湾曲する基板１２の一方の面１２ｆにおいて、各光源１１と平面的に重ならない位置に、光を反射する反射部材（図３の矩形状の破線領域）７０を配置するようにしてもよい。
【００７６】
[第３実施形態]
次に、図４を参照して、本発明の第３実施形態に係る液晶装置１００ｂの構成について説明する。
【００７７】
図４は、図１に対応する、第３実施形態に係る液晶装置１００ｂの構成を示す断面図である。
【００７８】
第３実施形態と第１実施形態とを比較した場合、その両者は、照明装置の構成のみが異なり、それ以外は同様である。よって、以下では、第１実施形態と同一の要素については同一の符号を付し、その説明は適宜省略する。
【００７９】
第３実施形態に係る照明装置５１ｂでは、各光源１１の光Ｌの領域１１Ｌの中心軸Ｌ３と平行線Ｌ２とのなす角度が、基板１２の一方の面１２ｆの中心Ｏを通り、基準光源１１ｂの位置を通る中心線Ｌ４から外辺１２ｂ及び１２ｄのそれぞれに向かうほど大きく設定されるように、各光源１１を保持するための保持部材１９が設けられている点が、第１実施形態に係る照明装置５１と構成上異なり、それ以外の構成は第１実施形態に係る照明装置５１と同様である。
【００８０】
具体的に、照明装置５１ｂにおいて、基板１２の一方の面１２ｆには、各光源１１を保持可能な保持面１９ａを備える保持部材１９が分散して配置されている。本例では、保持部材１９は、図示を省略するが、基板１２の中心線Ｌ４、Ｌ５のそれぞれに対して線対称をなすように、基板１２の一方の面１２ｆに行列状に配置されている。そして、各光源１１は、各保持部材１９の保持面１９ａに当接して配置されている。また、各光源１１から出射される光Ｌの主出射方向Ｌ３と、各保持部材１９の保持面１９ａに対する各法線（図示略）とは略平行となるように、基板１２の一方の面１２ｆに対する、各保持部材１９の保持面１９ａの傾斜角度が調整されている。言い換えれば、各光源１１から出射される光Ｌの領域１１Ｌの中心を通る中心軸Ｌ３と、各光源１１を保持する各保持部材１９の保持面１９ａに対する各法線（図示略）とが略平行となるように、基板１２の一方の面１２ｆに対する、各保持部材１９の保持面１９ａの傾斜角度が調整されている。
【００８１】
即ち、基板１２の一方の面１２ｆに対する、各保持部材１９の保持面１９ａの傾斜角度は、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度が、基板１２の一方の面１２ｆにおける基準光源１１ｂが配置されるべき位置から外辺１２ｂ及び１２ｄのそれぞれに向かうほど大きく設定されるような角度に設定されている。言い換えれば、各光源１１の光Ｌの領域１１Ｌの中心軸Ｌ３と平行線Ｌ２とのなす角度が、基板１２の一方の面１２ｆの中心Ｏを通る中心線Ｌ４から外辺１２ｂ及び１２ｄのそれぞれに向かうほど大きく設定されるような角度に設定されている。また、基準光源１１ｂの光Ｌの主出射方向である法線Ｌ１に対する各光源１１の傾き角度は、基板１２の外辺１２ｂ及び１２ｄのそれぞれに向かうほど順次又は段階的に大きくなっている。
【００８２】
この構成によれば、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度を、基準光源１１ｂが配置されるべき位置から外辺１２ｂ及び１２ｄのそれぞれに向かうほど大きく設定するためには、基板１２の一方の面１２ｆに対して所定の傾斜角度を有する各保持部材１９の保持面１９ａに対して、各光源１１を配置するだけでよい。或いは、各光源１１から出射される光Ｌの領域１１Ｌの中心軸Ｌ３と、基板１２の一方の面１２ｆの平行線Ｌ２とのなす角度を、基板１２の一方の面１２ｆの中心線Ｌ４から外辺１２ｂ及び１２ｄのそれぞれに向かうほど大きく設定するためには、基板１２の一方の面１２ｆに対して所定の傾斜角度を有する各保持部材１９の保持面１９ａに対して、各光源１１を配置するだけでよい。よって、基板１２の一方の面１２ｆに対する各光源１１の配置が容易となる。これにより、上記した第１実施形態と同様の作用効果を得ることができる。
【００８３】
なお、第３実施形態に係る照明装置５１ｂでは、上記した第１実施形態と同様の目的を達成するため、基板１２の一方の面１２ｆにおいて、各光源１１と平面的に重ならない位置に、光を反射する反射部材（図４の矩形状の破線領域）７０を配置するようにしてもよい。
【００８４】
[変形例]
上記の第１乃至第３実施形態に係る照明装置５１、５１ａ、５１ｂ（以下、代表して「照明装置６０」と称する）では、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度、即ち、各光源１１の光Ｌの領域１１Ｌの中心軸Ｌ３と平行線Ｌ２とのなす角度が、基板１２の一方の面１２ｆの中心Ｏを通る中心線Ｌ４から外辺１２ｂ及び１２ｄのそれぞれに向かうほど大きく設定されていた。しかし、本発明では、基板１２の一方の面１２ｆに対する各光源１１の配置構造は、これらの構成に限定されるものではない。以下、各種変形例に係る、基板１２の一方の面１２ｆに対する各光源１１の配置構造について説明する。
【００８５】
（変形例１）
まず、図５（ａ）を参照して、本発明の変形例１に係る照明装置６０ｓの構成について簡単に説明する。なお、以下では、第１乃至第３実施形態と共通する点については説明を省略する。
【００８６】
図５（ａ）は、図２（ａ）に対応する、変形例１に係る照明装置６０ｓの平面構成を示す。但し、図５（ａ）では、便宜上、変形例１に係る照明装置６０ｓの要素である各種の光学シート及び支持部材１３の図示を省略していると共に、基板１２の一方の面１２ｆに配置される光源１１の数を照明装置６０と比べて少なくしている。
【００８７】
変形例１に係る照明装置６０ｓでは、各光源１１は、図中の矢印Ｙ３及びＹ４の方向に示すように、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度、即ち、各光源１１の光Ｌの領域１１Ｌの中心軸Ｌ３と平行線Ｌ２とのなす角度が、基板１２の一方の面１２ｆの中心Ｏを通る中心線Ｌ４、Ｌ５の各々に対して線対称をなす角度となるように基板１２の一方の面１２ｆに行列状に配置されている。具体的に、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度、即ち、各光源１１の光Ｌの領域１１Ｌの中心軸Ｌ３と平行線Ｌ２とのなす角度は、図５（ａ）の矢印Ｙ３及びＹ４の方向に示すように、基板１２の一方の面１２ｆの中心線Ｌ５から外辺１２ａ及び１２ｃのそれぞれに向かうほど大きく設定されている。
【００８８】
これにより、変形例１では、基準光源１１ｂを通る中心線Ｌ５から外辺１２ａ及び１２ｃのそれぞれに向かうに従い、液晶表示パネル５０側に向けて各光源１１からより多くの光Ｌが照射されることになる。その結果、液晶表示パネル５０の外周部（表示領域Ｖ１と非表示領域Ｖ２との境界付近の領域であって、且つ外辺１２ａ及び１２ｃに対応する領域）の輝度を高くすることができると共に、液晶表示パネル５０の表示領域Ｖ１の中央部とその表示領域Ｖ１の外周部との間における輝度ムラを抑制でき、液晶表示パネル５０の表示領域Ｖ１における輝度の均一化を図ることができる。
【００８９】
（変形例２）
次に、図５（ｂ）を参照して、本発明の変形例２に係る照明装置６０ｔの構成について簡単に説明する。なお、以下では、第１乃至第３実施形態と共通する点については説明を省略する。
【００９０】
図５（ｂ）は、図５（ａ）に対応する、変形例２に係る照明装置６０ｔの平面構成を示す。但し、図５（ｂ）では、便宜上、変形例２に係る照明装置６０ｔの要素である各種の光学シート及び支持部材１３の図示を省略している。
【００９１】
変形例２に係る照明装置６０ｔでは、各光源１１は、図中の矢印Ｙ１〜Ｙ８の方向に示すように、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度、即ち、各光源１１の光Ｌの領域１１Ｌの中心軸Ｌ３と平行線Ｌ２とのなす角度が、基準光源１１ｂの光Ｌの主出射方向（法線）Ｌ１に対して点対称をなす角度となるように基板１２の一方の面１２ｆに行列状に配置される。具体的に、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度、即ち、各光源１１の光Ｌの領域１１Ｌの中心軸Ｌ３と平行線Ｌ２とのなす角度は、図５（ｂ）の矢印Ｙ１〜Ｙ８の方向に示すように、基板１２の一方の面１２ｆの中心Ｏから外辺１２ａ、１２ｂ、１２ｃ及び１２ｄ並びに基板１２の各隅のそれぞれに向かうほど大きく設定されている。
【００９２】
これにより、変形例２では、基板１２の一方の面１２ｆにおける基準光源１１ｂが位置する中心Ｏから外辺１２ａ、１２ｂ、１２ｃ及び１２ｄ並びに基板１２の各隅のそれぞれに向かうに従い、液晶表示パネル５０側に向けて各光源１１からより多くの光Ｌが照射されることになる。その結果、液晶表示パネル５０の外周部（表示領域Ｖ１と非表示領域Ｖ２との境界付近の領域）の輝度をより高くすることができると共に、液晶表示パネル５０の表示領域Ｖ１の中央部とその表示領域Ｖ１の外周部との間における輝度ムラをより抑制でき、液晶表示パネル５０の表示領域Ｖ１における輝度の均一化をより図ることができる。
【００９３】
（変形例３）
次に、図６（ａ）を参照して、本発明の変形例３に係る照明装置６０ｕの構成について簡単に説明する。なお、以下では、第１乃至第３実施形態と共通する点については説明を省略する。
【００９４】
図６（ａ）は、図５（ａ）に対応する、変形例３に係る照明装置６０ｕの平面構成を示す。但し、図６（ａ）では、便宜上、変形例３に係る照明装置６０ｕの要素である各種の光学シート及び支持部材１３の図示を省略している。なお、図６（ａ）では、仮想の同心円を破線にて示す。
【００９５】
変形例３に係る照明装置６０ｕでは、各光源１１は、基板１２の一方の面１２ｆに各凹部１２ｆａを介して同心円状に配置されている。また、各光源１１は、図中の矢印Ｙ１及びＹ２の方向に示すように、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度、即ち、各光源１１の光Ｌの領域１１Ｌの中心軸Ｌ３と平行線Ｌ２とのなす角度が、基板１２の一方の面１２ｆにおける基準光源１１ｂが位置する中心Ｏを通る中心線Ｌ４、Ｌ５の各々に対して線対称をなす角度となるように基板１２の一方の面１２ｆに配置されている。具体的に、各光源１１は、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度、即ち、各光源１１の光Ｌの領域１１Ｌの中心軸Ｌ３と平行線Ｌ２とのなす角度が、基板１２の一方の面１２ｆにおける基準光源１１ｂが位置する中心Ｏを通る中心線Ｌ４から外辺１２ｂ及び１２ｄのそれぞれに向かうほど大きく設定されている。これにより、上記した第１実施形態と略同様の作用効果を得ることができる。
【００９６】
（変形例４）
次に、図６（ｂ）を参照して、本発明の変形例４に係る照明装置６０ｖの構成について簡単に説明する。なお、以下では、第１乃至第３実施形態と共通する点については説明を省略する。
【００９７】
図６（ｂ）は、図５（ａ）に対応する、変形例４に係る照明装置６０ｖの平面構成を示す。但し、図６（ｂ）では、便宜上、変形例４に係る照明装置６０ｖの要素である各種の光学シート及び支持部材１３の図示を省略している。なお、図６（ｂ）では、仮想の同心円を破線にて示す。
【００９８】
変形例４に係る照明装置６０ｖでは、各光源１１は、変形例３と同様に、基板１２の一方の面１２ｆに各凹部１２ｆａを介して同心円状に配置されている。また、各光源１１は、図中の矢印Ｙ３及びＹ４の方向に示すように、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度、即ち、各光源１１の光Ｌの領域１１Ｌの中心軸Ｌ３と平行線Ｌ２とのなす角度が、基板１２の一方の面１２ｆにおける基準光源１１ｂが位置する中心Ｏを通る中心線Ｌ４、Ｌ５の各々に対して線対称をなす角度となるように基板１２の一方の面１２ｆに配置されている。具体的に、各光源１１は、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度、即ち、各光源１１の光Ｌの領域１１Ｌの中心軸Ｌ３と平行線Ｌ２とのなす角度が、基板１２の一方の面１２ｆにおける基準光源１１ｂが位置する中心Ｏを通る中心線Ｌ５から外辺１２ａ及び１２ｃのそれぞれに向かうほど大きく設定されている。これにより、上記した変形例１と略同様の作用効果を得ることができる。
【００９９】
（変形例５）
次に、図６（ｃ）を参照して、本発明の変形例５に係る照明装置６０ｗの構成について簡単に説明する。なお、以下では、第１乃至第３実施形態と共通する点については説明を省略する。
【０１００】
図６（ｃ）は、図５（ａ）に対応する、変形例５に係る照明装置６０ｗの平面構成を示す。但し、図６（ｃ）では、便宜上、変形例５に係る照明装置６０ｗの要素である各種の光学シート及び支持部材１３の図示を省略している。なお、図６（ｃ）では、仮想の同心円を破線にて示す。
【０１０１】
変形例５に係る照明装置６０ｗでは、各光源１１は、変形例３と同様に、基板１２の一方の面１２ｆに各凹部１２ｆａを介して同心円状に配置されている。また、各光源１１は、図中の矢印Ｙ１〜Ｙ８の方向に示すように、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度、即ち、各光源１１の光Ｌの領域１１Ｌの中心軸Ｌ３と平行線Ｌ２とのなす角度が、基準光源１１ｂの光Ｌの主出射方向（法線）Ｌ１に対して点対称をなす角度となるように基板１２の一方の面１２ｆに配置される。具体的に、各光源１１は、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度、即ち、各光源１１の光Ｌの領域１１Ｌの中心軸Ｌ３と平行線Ｌ２とのなす角度が、基板１２の一方の面１２ｆにおける基準光源１１ｂが位置する中心Ｏから外辺１２ａ、１２ｂ、１２ｃ及び１２ｄ並びに基板１２の各隅のそれぞれに向かうほど大きく設定されている。これにより、上記した変形例２と略同様の作用効果を得ることができる。
【０１０２】
（変形例６）
次に、図７を参照して、本発明の変形例６に係る照明装置６０ｘの構成について簡単に説明する。なお、以下では、第１乃至第３実施形態と共通する点については説明を省略する。
【０１０３】
図７は、図５（ａ）に対応する、変形例６に係る照明装置６０ｘの平面構成を示す。但し、図７では、便宜上、変形例６に係る照明装置６０ｘの要素である各種の光学シート及び支持部材１３の図示を省略している。なお、図７では、仮想の同心円を破線にて示す。
【０１０４】
変形例６に係る照明装置６０ｘでは、各光源１１は、変形例３と同様に、基板１２の一方の面１２ｆに各凹部１２ｆａを介して同心円状に配置されている。また、基板１２の一方の面１２ｆにおいて、円状に配列された一群の光源１１に対して外側に且つ隣り合う位置に円状に配列された他の一群の光源１１の各々は、当該一群の光源１１の各々の間に対応する位置に配置されている。
【０１０５】
また、各光源１１は、図中の矢印Ｙ１〜Ｙ８の方向に示すように、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度、即ち、各光源１１の光Ｌの領域１１Ｌの中心軸Ｌ３と平行線Ｌ２とのなす角度が、基準光源１１ｂの光Ｌの主出射方向（法線）Ｌ１に対して点対称をなす角度となるように基板１２の一方の面１２ｆに配置される。具体的に、各光源１１は、各光源１１から出射される光Ｌの主出射方向Ｌ３と、基準光源１１ｂの光Ｌの主出射方向Ｌ１（又は当該主出射方向Ｌ１と平行な平行線Ｌ２）とのなす角度、即ち、各光源１１の光Ｌの領域１１Ｌの中心軸Ｌ３と平行線Ｌ２とのなす角度が、基板１２の一方の面１２ｆにおける基準光源１１ｂが位置する中心Ｏから外辺１２ａ、１２ｂ、１２ｃ及び１２ｄ並びに基板１２の各隅のそれぞれに向かうほど大きく設定されている。また、基板１２の一方の面１２ｆに対する光源１１の配置密度は、基板１２の一方の面１２ｆの各隅に向かうほど大きくなっている。
【０１０６】
かかる構成により、基板１２の一方の面１２ｆにおける基準光源１１ｂが位置する中心Ｏから外辺１２ａ、１２ｂ、１２ｃ及び１２ｄ並びに基板１２の各隅のそれぞれに向かうに従い、液晶表示パネル５０側に向けて各光源１１からより多くの光Ｌが照射されることになり、液晶表示パネル５０の表示領域Ｖ１の各隅の領域の輝度をより高めることができる。これにより、液晶表示パネル５０の外周部（表示領域Ｖ１と非表示領域Ｖ２との境界付近の領域）の輝度をより高くすることができると共に、液晶表示パネル５０の表示領域Ｖ１の中央部とその表示領域Ｖ１の外周部との間における輝度ムラをより抑制でき、液晶表示パネル５０の表示領域Ｖ１における輝度の均一化をより図ることができる。
【０１０７】
（変形例７）
次に、図８（ａ）を参照して、本発明の変形例７に係る照明装置６０ｙの構成について簡単に説明する。なお、以下では、第１乃至第３実施形態と共通する点については説明を省略する。
【０１０８】
図８（ａ）は、変形例７に係る照明装置６０ｙの平面構成を示す。但し、図８（ａ）では、便宜上、各種の光学シート等の図示を省略している。
【０１０９】
変形例７に係る照明装置６０ｙは、基準光源１１ｂを有する光源パターン領域が各基板１２の一方の面１２ｆ側に複数配置されて構成される。具体的に、照明装置６０ｙは、複数の光源パターン領域（本例では、光源パターン領域Ｅ１〜Ｅ４）と、各光源パターン領域が配置される支持部材１３と、各光源パターン領域に対応して設けられた各種の光学シート（図示略）と、を備える。ここで、光源パターン領域は、複数の基板１２と、各基板１２の一方の面１２ｆ側に配置された基準光源１１ｂを含む複数の光源１１と、を備えて構成される光源ユニットであることが好ましい。なお、各基板１２の一方の面１２ｆ側に対する、複数の光源１１の配置構成は、上記の第１乃至第３実施形態、或いは変形例１乃至６のうち何れかの構成を適用することができる。好適な例では、各基板１２の一方の面１２ｆ側に対する、複数の光源１１の配置構成は、全てが同一の照明装置（例えば、領域Ｅ１〜Ｅ４の全てが照明装置６０ｗなど）であることが好ましい。この構成によれば、パソコンなどの大画面用の照明装置として好適に用いることができる。
【０１１０】
なお、本発明では、上記した光源パターン領域Ｅ１〜Ｅｎ（ｎは自然数）は、短冊状の領域であっても構わない。この場合、本発明では、照明装置６０ｚは、図８（ｂ）に示すように、短冊状の光源パターン領域Ｅ１〜Ｅｎ（ｎは自然数）を、支持部材１３に対して並列して配置するようにしても構わない。
【０１１１】
（その他の変形例）
本発明は、上記の第１乃至第３実施形態に係る照明装置や、変形例１乃至７に係る照明装置の構成に限定されるものではなく、その趣旨を逸脱しない範囲において種々の変更を加えることが可能である。
【０１１２】
例えば、本発明では、複数の光源１２は、液晶表示パネル５０側に向けて光Ｌを出射することが可能であることを前提として、それらの光Ｌの出射方向が同一ならば基板１２の一方の面１２ｆ上にあることは必須ではない。また、本発明では、複数の光源１２は、液晶表示パネル５０側に向けて光Ｌを出射することが可能であることを前提として、基板１２の側面等に直接的に又は保持部材１９等を介して配置されていてもよい。
【０１１３】
また、本発明では、光源１１の数、形状、発光色の種類等に限定はない。また、本発明では、基板１２の平面形状及び数などに限定はない。さらに、本発明では、電気光学装置の一例としての表示装置は、液晶装置に限定されず、有機エレクトロルミネッセンス表示装置、プラズマディスプレイ装置、及びフィールドエミッション表示装置などであってもよい。
【０１１４】
[電子機器]
次に、上記した第１乃至第３実施形態に係る照明装置、及び上記した変形例１乃至７等に係る照明装置等の何れかを備える液晶装置（以下、代表して「液晶装置１０００」と称する）を備える電子機器の具体例について図９を参照して説明する。
【０１１５】
まず、本発明に係る液晶装置１０００を、可搬型のパーソナルコンピュータ（いわゆるノート型パソコン）の表示部に適用した例について説明する。図９（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【０１１６】
続いて、本発明に係る液晶装置１０００を、携帯電話機の表示部に適用した例について説明する。図９（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【０１１７】
なお、本発明に係る液晶装置１０００を適用可能な電子機器としては、図９（ａ）に示したパーソナルコンピュータや図９（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【０１１８】
【図１】本発明の第１実施形態に係る照明装置を備える液晶装置の構成を示す断面図。
【図２】第１実施形態に係る照明装置における光源の配置構造等を示す図。
【図３】第２実施形態に係る照明装置を備える液晶装置の構成を示す断面図。
【図４】第３実施形態に係る照明装置を備える液晶装置の構成を示す断面図。
【図５】変形例１及び２に係る照明装置における光源の配置構造を示す平面図。
【図６】変形例３乃至５に係る照明装置における光源の配置構造を示す平面図。
【図７】変形例６に係る照明装置における光源の配置構造を示す平面図。
【図８】変形例７等に係る照明装置における光源の配置構造を示す平面図。
【図９】本発明の液晶装置を備える電子機器の斜視図。
【符号の説明】
【０１１９】
１１  光源、  １１Ｌ  光の領域、  １２  基板（基材）、  １２ｆ  一方の面、  １２ｆａ  凹部、  １３  支持部材、  １４  第１の拡散板、  １５  プリズムシート、  １６  第２の拡散板、  ５０  液晶表示パネル、  ５１、５１ａ、５１ｂ、６０、６０ｓ、６０ｔ、６０ｕ、６０ｖ、６０ｗ、６０ｘ、６０ｙ、６０ｚ  照明装置、  ７０  反射部材、  １００、１００ａ、１００ｂ  液晶装置、  Ｅ  空間、  Ｏ  中心、  Ｌ１  法線、  Ｌ２  平行線、  Ｌ３  中心軸、  Ｌ４、Ｌ５  中心線、  Ｖ１  表示領域、  Ｖ２  非表示領域
【図１】
0005467734.tif 000002
【図２】
0005467734.tif 000003
【図３】
0005467734.tif 000004
【図４】
0005467734.tif 000005
【図５】
0005467734.tif 000006
【図６】
0005467734.tif 000007
【図７】
0005467734.tif 000008
【図８】
0005467734.tif 000009
【図９】
0005467734.tif 000010